(57)【特許請求の範囲】
【請求項１】
分割されるロールからなる素材データを記憶手段に記憶するとともに、前記ロールをスタンバイデータとしてセットし、前記スタンバイデータを放送用データとして送出する放送素材サーバ装置であって、
前記ロールを識別するためのロール識別情報で指定され、前記スタンバイデータとしてセットされるロールが含まれる前記素材データが前記記憶手段に記憶されているか否かを検出するとともに、前記ロールが前記素材データ内に作成されているか否かを検出する検出手段と、
前記検出手段が、前記素材データが前記記憶手段に記憶されていないことを検出すると、前記素材データの代わりに代替素材データをスタンバイデータとしてセットし、前記ロール識別情報で指定され、前記スタンバイデータとしてセットされるロールが前記素材データ内に作成されていないことを検出すると、前記ロールの代わりに代替素材データをスタンバイデータとしてセットする制御手段と、
前記検出手段が、前記素材データ内に、前記ロール識別情報で指定され、前記スタンバイデータとしてセットされるロールが作成されていないことを検出すると、その旨を通知するアラームを発生するアラーム手段と、
を具備することを特徴とする放送素材サーバ装置。
【請求項２】
前記アラーム手段は、前記スタンバイデータとしてセットされるロールの再生開始位置が異常である場合に前記アラームを発生することを特徴とする請求項１に記載の放送素材サーバ装置。
【請求項３】
前記アラーム手段は、前記スタンバイデータとしてセットされるロールの再生終了位置が異常である場合に前記アラームを発生することを特徴とする請求項１に記載の放送素材サーバ装置。
【請求項４】
前記制御手段は、前記記憶手段が記憶するロールの長さが、前記スタンバイデータとしてセットされるロールの長さよりも不足する場合に前記不足するスタンバイデータを代替素材データで補完することを特徴とする請求項３に記載の放送素材サーバ装置。
【請求項５】
分割されるロールからなる素材データを記憶手段に記憶するとともに、前記ロールをスタンバイデータとしてセットし、前記スタンバイデータを放送用データとして送出する放送素材サーバ装置において用いられる放送素材スタンバイ方法であって、
前記ロールを識別するためのロール識別情報で指定され、前記スタンバイデータとしてセットされるロールが含まれる前記素材データが前記記憶手段に記憶されているか否かを検出するとともに、前記ロールが前記素材データ内に作成されているか否かを検出する検出ステップと、
前記検出ステップが、前記素材データが前記記憶手段に記憶されていないことを検出すると、前記素材データの代わりに代替素材データをスタンバイデータとしてセットし、前記ロール識別情報で指定され、前記スタンバイデータとしてセットされるロールが前記素材データ内に作成されていないことを検出すると、前記ロールの代わりに代替素材データをスタンバイデータとしてセットする制御ステップと、
前記検出ステップが、前記素材データ内に、前記ロール識別情報で指定され、前記スタンバイデータとしてセットされるロールが作成されていないことを検出すると、その旨を通知するアラームを発生するアラームステップと、
を具備することを特徴とする放送素材スタンバイ方法。
【請求項６】
前記アラームステップは、前記スタンバイデータとしてセットされるロールの再生開始位置が異常である場合に、前記アラームを発生することを特徴とする請求項５に記載の放送素材スタンバイ方法。
【請求項７】
前記アラームステップは、前記スタンバイデータとしてセットされるロールの再生終了位置が異常である場合に、前記アラームを発生することを特徴とする請求項５に記載の放送素材スタンバイ方法。
【請求項８】
前記制御ステップは、前記記憶手段が記憶するロールの長さが、前記スタンバイデータとしてセットされるロールの長さよりも不足する場合に前記不足するスタンバイデータを代替素材データで補完することを特徴とする請求項７に記載の放送素材スタンバイ方法。
【発明の詳細な説明】
【技術分野】
【０００１】
本発明は、放送素材サーバ装置及び放送素材スタンバイ方法に関する。
【背景技術】
【０００２】
番組サーバ装置は放送局に備えられ、放送番組データ等の放送素材をハードディスク装置やフラッシュディスク等の記憶装置に保持する装置である。放送素材は、例えばＭＰＥＧ２方式などで圧縮されてファイル化され、記録装置に蓄積される。番組サーバ装置では、自動番組送出装置（ＡＰＣ）からの送出スタンバイ要求に応じて、指定された放送素材の送出スタンバイが行なわれ、当該放送素材は自動番組送出装置の制御に基づいて送出、放送される。
【０００３】
例えば放送素材の時差再生が行なわれるような場合には、素材の収録や転送が、素材送出の直前に行われる。しかしながら、番組編成によっては、送出スタンバイ要求が、当該放送素材の送出予定時刻よりも数時間前に番組サーバ装置へ送られることがある。この場合、送出スタンバイ要求に応じた放送素材が番組サーバに蓄積されていないため、当該放送素材の送出スタンバイが実行できず、処理が異常終了してしまう。
【０００４】
特許文献１には、収録制御機器からの送出制御指示によって指定される放送素材が記憶されていない場合であっても、処理の異常終了を防止できる放送素材処理装置が記載されている。この放送素材処理装置では、送出制御指示によって指定される放送素材が記憶されていない場合でも、当該放送素材の代わりに予め記憶された代替素材を送出準備状態に設定する（仮スタンバイ）。そして、当該放送素材の収録が行なわれたら、代替素材のスタンバイを解除し、当該放送素材の送出スタンバイを行なう。
【先行技術文献】
【特許文献】
【０００５】
【特許文献１】特開２００５−１２５６２号公報（段落[００２０］、[００２１］、図３）
【発明の概要】
【発明が解決しようとする課題】
【０００６】
しかしながら、上述の放送素材処理装置では、送出スタンバイ要求に誤りがあり、放送素材が正しく指定されていない場合であっても、代替素材による仮スタンバイが行なわれる。この仮スタンバイの際に、送出スタンバイ要求の誤りはユーザには通知されない。このため、誤って仮スタンバイされた代替素材が、正しい放送素材に置き換えられないまま送出されかねない。
【０００７】
本発明は、前記のような問題に鑑みなされたもので、不正な送出スタンバイ要求を検出し、検出結果を通知できる放送素材サーバ装置及び放送素材スタンバイ方法を提供することを目的とする。
【課題を解決するための手段】
【０００８】
本発明の一実施形態に係る放送素材サーバ装置は、分割されるロールからなる素材データを記憶手段に記憶するとともに、前記ロールをスタンバイデータとしてセットし、前記スタンバイデータを放送用データとして送出する放送素材サーバ装置であって、前記ロールを識別するためのロール識別情報で指定され、前記スタンバイデータとしてセットされるロールが含まれる前記素材データが前記記憶手段に記憶されているか否かを検出するとともに、前記ロールが前記素材データ内に作成されているか否かを検出する検出手段と、前記検出手段が、前記素材データが前記記憶手段に記憶されていないことを検出すると、前記素材データの代わりに代替素材データをスタンバイデータとしてセットし、前記ロール識別情報で指定され、前記スタンバイデータとしてセットされるロールが前記素材データ内に作成されていないことを検出すると、前記ロールの代わりに代替素材データをスタンバイデータとしてセットする制御手段と、前記検出手段が、前記素材データ内に、前記ロール識別情報で指定され、前記スタンバイデータとしてセットされるロールが作成されていないことを検出すると、その旨を通知するアラームを発生するアラーム手段とを具備する。
【０００９】
また、本発明の一実施形態に係る放送素材スタンバイ方法は、分割されるロールからなる素材データを記憶手段に記憶するとともに、前記ロールをスタンバイデータとしてセットし、前記スタンバイデータを放送用データとして送出する放送素材サーバ装置において用いられる放送素材スタンバイ方法であって、前記ロールを識別するためのロール識別情報で指定され、前記スタンバイデータとしてセットされるロールが含まれる前記素材データが前記記憶手段に記憶されているか否かを検出するとともに、前記ロールが前記素材データ内に作成されているか否かを検出する検出ステップと、前記検出ステップが、前記素材データが前記記憶手段に記憶されていないことを検出すると、前記素材データの代わりに代替素材データをスタンバイデータとしてセットし、前記ロール識別情報で指定され、前記スタンバイデータとしてセットされるロールが前記素材データ内に作成されていないことを検出すると、前記ロールの代わりに代替素材データをスタンバイデータとしてセットする制御ステップと、前記検出ステップが、前記素材データ内に、前記ロール識別情報で指定され、前記スタンバイデータとしてセットされるロールが作成されていないことを検出すると、その旨を通知するアラームを発生するアラームステップとを具備する。
【発明の効果】
【００１０】
本発明の一実施形態による放送素材サーバ装置及び放送素材スタンバイ方法によれば、送出スタンバイ要求が、記憶手段に記憶されたロールを正常に指定しているか否かを検出することができる。また、送出スタンバイ要求によるロールの誤指定を検出した場合に、アラームを発行することができる。
【図面の簡単な説明】
【００１１】
【図１】本発明の一実施形態に係る番組サーバ装置の構成を示すブロック図。
【図２】番組サーバ装置に収録される放送素材の一例を示す図。
【図３】図２に示す放送素材が放送データとして実際にオンエアされる場合のデータ構造の一例を示す図。
【図４】送出スタンバイ要求によって指定されるロールの代わりに、スタンバイデータ１５に挿入される代替素材データを模式的に示す図。
【図５】送出スタンバイ要求を受信した際に行われる、ロールの送出スタンバイ処理の手順を示すフローチャート。
【発明を実施するための形態】
【００１２】
以下、図面を参照して本発明による放送素材サーバ装置の実施形態を説明する。図１は、本発明の一実施形態に係る番組サーバ装置１０の構成を示すブロック図である。
【００１３】
番組サーバ装置１０は、送出制御装置２０及び監視装置３０に接続され、放送送出システムを構成する。この番組サーバ装置１０は、映像信号及び音声信号からなるテレビジョン番組等の放送素材を記憶（収録）する。番組サーバ装置１０に収録された放送素材は、素材送出制御装置２０の制御に応じて送出される。
【００１４】
送出制御装置２０は制御ＣＰＵを有し、広告（ＣＭ）素材を蓄積するＣＭバンク２５が接続される。送出制御装置２０はまた、営業放送システム（ＥＤＰＳ）、データサーバ（ＤＳ）、及び自動番組送出装置（ＡＰＣ）に接続されるか、これらの機器を内蔵する。
【００１５】
営業放送システム（ＥＤＰＳ）は、放送データ、ＣＭデータ、営業情報などを一元管理するシステムである。データサーバ（ＤＳ）は、放送進行データの作成及び放送データを一元管理する。放送局のオペレータは、ＤＳのクライアント端末の操作によって、番組編成を変更することができる。自動番組送出装置（ＡＰＣ）は、ＤＳから受け取った放送進行データにより放送制御データを作成し、リアルタイムにマスタ送出システム内の各部を制御する。放送制御データには、放送進行データに基づく放送素材のスタンバイ要求が含まれ、このスタンバイ要求は番組サーバ装置１０に送信される。
【００１６】
監視装置３０は、送出システムの運行管理者の運行支援のために、機器の異常や故障、及び信号異常等を集約し、オペレータに通知する。例えば、番組サーバ装置１０からのアラームが監視装置３０に送信されると、監視装置３０の表示装置によってアラーム表示がなされたり、あるいはアラーム音声が出力されたりする。このようなアラーム出力によって、番組サーバ装置１０の異常がオペレータに通知され、当該オペレータが異常に対処することが可能となる。
【００１７】
番組サーバ装置１０は、制御部１１、エンコーダ１２、記憶装置１３、デコーダ１４を備えている。制御部１１は、図示しないＣＰＵ、ＲＯＭ、ＲＡＭ等を備え、番組サーバ装置１０の全体の動作を制御する。
【００１８】
エンコーダ１２は、映像信号及び音声信号を含む放送素材信号を例えばＭＰＥＧ２方式等で圧縮符号化してＴＳ（トランスポートストリーム）パケット化する。
【００１９】
記憶装置１３は、例えばハードディスク装置（ＨＤＤ）やフラッシュメモリを含み、エンコーダ１２によってＴＳパケット化された放送素材データを記憶する。記憶装置１３に記憶（収録）される放送素材は、例えばＶＴＲ（ビデオテープレコーダ）から生成されてもよい。あるいは放送素材は、ネットワークを介して収録されてもよい。また、ノンリニア編集システムやデータアーカイブから放送素材ファイルが転送されてきてもよい。記憶装置１３には、複数の放送素材（複数の番組）のデータが記憶され得る。
【００２０】
記憶装置１３に記憶された放送素材データは、制御部１１による制御に基づいて、デコーダ１４に供給される。デコーダ１４は、ＴＳパケット化された放送素材データを放送可能な形式の映像信号及び音声信号を含む放送用データに復号する。放送用データは、送出制御装置２０の制御に応じて送出され、スタンバイデータ１５として、スタンバイ状態にセットされる。
【００２１】
また、デコーダ１４は代替素材データ記憶部１４１を備えている。代替素材データ記憶部１４１には、例えば充分な長さの風景動画等が代替素材データとして記憶される。送出制御装置２０からの送出スタンバイ要求によって指定される放送素材データが、記憶装置１３に記憶されていない場合に、当該放送素材データに代わって代替素材データがスタンバイデータ１５として、スタンバイ状態に設定される（送出仮スタンバイ）。
【００２２】
デコーダ１４によってスタンバイ状態にセットされたスタンバイデータは、送出制御装置２０からの送出指示に応じて送出されてオンエアされる。
【００２３】
図２は、番組サーバ装置１０に収録される放送素材の一例を示す図である。図２に示すように、番組サーバ装置１０に収録される放送素材には、それぞれ固有の素材ＩＤが割り当てられる。また、番組サーバ装置１０に収録される放送素材データのそれぞれは、指定の長さのロールに分割される。分割されたロールのそれぞれには、固有のロールＩＤが割り当てられる。
【００２４】
図２に示す例では、素材ＩＤ「ＡＢ」が割り当てられた素材データが、ｎ個のロールに分割されている。ロール＃１〜ロール＃ｎまでのｎ個のロールのそれぞれには、「ＡＢ００１」から「ＡＢ００ｎ」までのロールＩＤが割り当てられている。この例に示すように、素材ＩＤとロールＩＤの割り当てに規則性をもたせ、あるロールのロールＩＤから、当該ロールがどの素材データに含まれるのかが推定可能となるように構成してもよい。素材ＩＤの割り当て、ロールの分割、及びロールＩＤの割り当ては、送出制御装置２０によって管理されるものとする。
【００２５】
図３は、図２に示す放送素材が放送データとして実際にオンエアされる場合のデータ構造の一例を示す図である。図３に示すように、放送素材のロール間には、ＣＭバンク２５から読み出されたＣＭが、送出制御装置２０の制御に基づいて挿入される。
【００２６】
図３に示す例では、素材ＩＤが「ＡＢ」である素材が、ｎ個のロール（ロールＩＤは、＃１〜＃ｎ）に分割されている。ロール＃１の放送時間は、「００´００」から「１０´００」までの１０分間であり、次のロール＃２の放送時間は、「１１´００」から「２１´００」までの１０分間である。ロール＃１とロール＃２の間の「１０´００」から「１１´００」の１分間にＣＭ１が挿入されている。また、ロール＃２に続いてＣＭ２が挿入されている。以降、同様にしてロール間にＣＭが挿入され、合計の放送時間が６０分である１番組を構成する。なお、各ロールは、例えば、ロール＃３が８分間、ロール＃４が９分間の様にそれぞれ時間長が異なって居ても良いことは勿論である。
【００２７】
このように、１番組内であってもロール間にＣＭが挿入されるため、送出制御装置２０は、送出する素材を識別する素材ＩＤと送出するロールを識別するロールＩＤを、送出スタンバイ要求で指定する。番組サーバ装置１０の制御部１１は、送出スタンバイ要求に含まれる素材ＩＤ及びロールＩＤによって指定されるロールを、スタンバイ状態にセットする。
【００２８】
あるいは、送出制御装置２０は、素材ＩＤと、当該素材ＩＤによって指定される放送素材をどの位置から再生するかを示す再生開始位置と、当該放送素材をどの位置まで再生するかを示す再生終了位置のセットを含む送出スタンバイ要求を、番組サーバ装置１０の制御部１１に送信してもよい。番組サーバ装置１０の制御部１１は、送出スタンバイ要求に含まれる素材ＩＤによって指定される放送素材から、送出スタンバイ要求に含まれる再生開始位置と再生終了位置によって指定される部分（ロール）を抽出してスタンバイ状態にセットする。
【００２９】
送出制御装置２０から送出スタンバイ要求が送信されても、このスタンバイ要求よって指定されるロールを含む放送素材が、番組サーバ装置１０に収録される前であったり、収録中であったりすれば、送出スタンバイ要求が指定するロールがスタンバイできない。あるいは送出スタンバイ要求によって指定されるロールの作成前であれば、当該送出スタンバイ要求が指定するロールがスタンバイできない。このような場合、図４に示すように、送出スタンバイ要求によって指定される本来の素材やロールの代わりに、代替素材データ記憶部１４１に記憶された代替素材データがスタンバイデータ１５に挿入されてスタンバイ状態にセットされる（送出仮スタンバイ）。
【００３０】
その後、送出スタンバイ要求によって指定されるロールを含む本来の放送素材が収録され当該ロールが作成されると、送出仮スタンバイされた代替素材データと差し替えられて、自動的にスタンバイ状態にセットされる。
【００３１】
しかしながら、送出制御装置２０から送信される送出スタンバイ要求が、ロールを正しく指定していないことがある。例えば、当該送出スタンバイ要求によって指定されるロールが、収録された放送素材から抜け落ちている（例えば図２の素材データにおいて、ロール＃２だけが収録できていない）ことがある。あるいは、送出スタンバイ要求が誤っており、当該スタンバイ要求が指定するロールの再生開始位置又は再生終了位置が、収録されたロールの開始位置又は終了位置と一致しないこともある。また、放送進行データに基づく送出スタンバイ要求が指定するロールと、記憶装置１３に記憶されているロールとが一致しないこともあり得る。以上のような場合であっても代替素材による送出仮スタンバイが行われ通常通り行なわれてしまうと、ロールデータの誤り、収録データの誤り、又は送出スタンバイ要求の誤りにオペレータが気付かないままとなり、代替素材がそのまま送出されてしまう。
【００３２】
本実施形態による番組サーバ装置１０では、以下に述べるように、ロールの誤指定を検出し、アラームによってオペレータに誤指定を通知して代替素材データがそのまま送出されてしまうことを防止する。
【００３３】
図５は、送出スタンバイ要求を受信した際に行われる、ロールの送出スタンバイ処理の手順を示すフローチャートである。
【００３４】
送出制御装置２０が放送進行データに基づいて送信した送出スタンバイ要求を受信すると（ステップＳ５１）、番組サーバ装置１０の制御部１１は、当該送出スタンバイ要求からロールＩＤを抽出する。そして制御部１１は、当該ロールＩＤから、送出スタンバイ要求が指定するロールを特定し、当該ロールを含む放送素材の素材ＩＤを算出する（ステップＤ５２）。
【００３５】
制御部１１は、当該素材ＩＤによって指定される放送素材が記憶装置１３にすでに収録されているか否かを判定する（ステップＳ５３）。
【００３６】
当該素材ＩＤが指定する放送素材が記憶装置１３に収録されていない場合（ステップＳ５３でＮｏ）、番組全体が未収録であるので、当該放送素材に代わって代替素材データをデコーダ１４からスタンバイデータ１５に挿入し、送出仮スタンバイが行なわれる（ステップＳ５４）。
【００３７】
一方、当該素材ＩＤが指定する放送素材が記憶装置１３に収録されている場合（ステップＳ５３でＹｅｓ）、制御部１１は、送出スタンバイ要求から抽出したロールＩＤに対応するロールが、当該放送素材内に作成されているか否かを判定する（ステップＳ５５）。
【００３８】
送出スタンバイ要求から抽出されたロールＩＤに対応するロールが、放送素材内に作成されていない場合（ステップＳ５５でＮｏ）、ロール未作成アラームが生成され、制御部１１から監視装置３０に送信される（ステップＳ５６）。そして、図４に示すように、当該ロールに代わって代替素材データがスタンバイデータ１５に挿入され、送出仮スタンバイが行なわれる（ステップＳ５４）。
【００３９】
例えば、収録ミスによって放送素材においていずれかのロールだけが脱落し、収録できていないことがある。このような場合に、当該収録できていないロールが指定されても、送出スタンバイ要求から抽出されたロールＩＤに対応するロールが放送素材内に作成されていないと判定される。また、ｎ個のロールに分割された素材データに対して、ｎ＋１番目以降のロールが指定された場合にも、送出スタンバイ要求から抽出されたロールＩＤに対応するロールが、放送素材内に作成されていないと判定される。すなわち、これらの場合には、ロールＩＤが無効なロールを指定している。ロールＩＤが無効なロールを指定している場合には、ロール未作成アラームに応じて監視装置３０がアラーム出力を行い、ロールが未作成である旨がオペレータに通知される。
【００４０】
送出スタンバイ要求から抽出されたロールＩＤに対応するロールが放送素材内に作成されている場合は（ステップＳ５５でＹｅｓ）、制御部１１は、当該ロールの再生開始位置が正常であるか否かを判定する（ステップＳ５７）。
【００４１】
当該ロールの再生開始位置が正常でない場合（ステップＳ５７でＮｏ）、開始位置異常アラームが生成され、制御部１１から監視装置３０に送信される（ステップＳ５８）。そして、当該ロールに代わって代替素材データがスタンバイデータ１５に挿入され、送出仮スタンバイが行なわれる（ステップＳ５４）。
【００４２】
例えば、図２の例に示す素材データにおいて、ロール＃１より先にロール＃２が指定された場合、抽出されたロールＩＤに対応するロールの再生開始位置が異常であると判定される。また、指定されたロールの再生開始位置が、当該放送素材の終了後に設定されている場合にも、抽出されたロールＩＤに対応するロールの再生開始位置が異常であると判定される。このように、ロールの再生開始位置が異常である場合、開始位置異常アラームに応じて監視装置３０がアラーム出力を行い、開始位置異常がオペレータに通知される。
【００４３】
ロールの再生開始位置が正常である場合は（ステップＳ５７でＹｅｓ）、制御部１１は、当該ロールの再生終了位置が正常であるか否かを判定する（ステップＳ５９）。
【００４４】
ロールの再生終了位置が正常でない場合（ステップＳ５９でＮｏ）、終了位置異常アラームが生成され、制御部１１から監視装置３０に送信される（ステップＳ６０）。そして、当該ロールがスタンバイデータ１５に挿入され、送出スタンバイが行なわれる（ステップＳ６１）。
【００４５】
例えば、指定されたロールの再生終了位置が当該放送素材の終了後に設定されている場合、あるいは、放送進行データによって定められる再生終了位置より後に、指定されたロールが終了している場合は、放送進行データに基づくロール長よりも、記憶装置１３に記憶されたロール長が長く設定されている。このような場合、ロールの再生終了位置が異常であると判定される。また、放送進行データによって定められる再生終了位置より前に、指定されたロールが終了している場合は、放送進行データに基づくロール長よりも、記憶装置１３に記憶されたロール長が短く設定されている。このような場合も、ロールの再生終了位置が異常であると判定される。ロールの再生終了位置が異常であると判定された場合、終了位置異常アラームに応じて監視装置３０がアラーム出力を行い、終了位置異常がオペレータに通知される。
【００４６】
一方、ロールの再生終了位置が正常である場合は（ステップＳ５９でＹｅｓ）、当該ロールがスタンバイデータ１５に挿入され、送出スタンバイが行なわれる（ステップＳ６１）。
【００４７】
以上のようにしてスタンバイ処理がなされた後、送出制御装置２０から送出指示が送られたら、スタンバイデータ１５が送出され、オンエアされる。
【００４８】
図５に示す処理では、ステップＳ５６でロール未作成アラームが生成された後、及びステップＳ５８で開始位置異常アラームが生成された後には、代替素材データがスタンバイデータ１５に挿入されて送出仮スタンバイが行なわれた（ステップＳ５４）。オペレータがアラームに気付かず、本来のロールを準備することができない場合には、送出指示に応じて代替素材が送出される。このため、送出スタンバイ要求がロールを誤指定しても、誤って黒画面等が送出されて放送事故となる事態を防止することができる。
【００４９】
また、図５に示す処理では、指定されたロールの再生終了位置が正常でない場合でも、当該指定されたロールのスタンバイを行なった。これに加えて、放送進行データに基づくロール長よりも、記憶装置１３に記憶されたロール長が短く設定されている場合には、不足するロールの長さ分だけ、代替素材データで補ってもよい。
【００５０】
以上のように、本実施形態に係る番組サーバ装置によれば、送出スタンバイ要求によるロール指定の誤りを検出することができる。また、誤ったロールが指定された場合には、アラームを生成して、オペレータに通知することができる。このため、オペレータはアラームに応じて対処することが可能となる。
【００５１】
なお、この発明は上記実施形態に限定されるものではない。例えば上記実施形態では、代替素材データ記憶部１４１をデコーダ１４内に設ける例について説明した。しかし、これに限ることなく、デコーダ１４に対し代替素材データ記憶部１４１を外付けに設けるようにしてもよい。
【００５２】
また、上述の実施形態では、番組サーバ装置においてロール誤指定検出を行なう例について説明したが、ＣＭバンク、コンテンツサーバ等他のサーバにおいても同様に、ロール誤指定を検出することができる。
【００５３】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、１つの実施形態に示される全構成要件から幾つかの構成要件が削除されたり、幾つかの実施形態に示される構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００５４】
１０…番組サーバ装置、１１…制御部、１２…エンコーダ、１３…記憶装置、１４…デコーダ、１５…スタンバイデータ、２５…ＣＭバンク、２０…送出制御装置、３０…監視装置、１４１…代替素材データ記憶部。
【図１】
0005491801.tif 000002
【図２】
0005491801.tif 000003
【図３】
0005491801.tif 000004
【図４】
0005491801.tif 000005
【図５】
0005491801.tif 000006